(57)【要約】【課題】製品強度の低下や部品点数の増加、製品厚さの増大を伴うことなく、電池パックを損傷させずに容易に取り外し可能にする。【解決手段】電池パック（9）に損傷してもよいリペアシート（33）を貼り付け、このリペアシート（33）を介して電池パック（9）を筐体（3）の表側キャビネット（13）に貼り付けると共に、リペアシート（33）のうち表側キャビネット（13）に接着されない非接着面部（38b）につまみ片（39）とミシン目（41）を設け、つまみ片（39）を引っ張ることでミシン目（41）が破断し、この破断を以て非接着面部（38b）が同シート（33）のうち表側キャビネット（13）に接着される接着面部（38a）と分離されるようにリペアシート（33）を構成する。【選択図】図６
2015211022.tif 000002
【特許請求の範囲】
【請求項１】
電池パックが筐体内に収容された携帯機器であって、
前記電池パックには、第１接着材でリペアシートが貼り付けられ、
前記リペアシートは、第２接着材で前記筐体に貼り付けられ、該筐体への貼付け面部に、前記第２接着材で前記筐体に接着される接着面部と、前記筐体に接着されない非接着面部とを有し、
前記リペアシートの非接着面部には、前記電池パックと前記筐体との間から延び出るつまみ片と、該つまみ片を、当該非接着面部に対し前記筐体の被貼付け面から離間させる方向への力が作用するように引っ張ることで破断して、当該非接着面部の少なくとも一部を前記接着面部と分離する破断予定線とが設けられている
ことを特徴とする携帯機器。
【請求項２】
請求項１に記載された携帯機器において、
前記接着面部と前記非接着面部とは、前記リペアシートの貼付け面部の第１の方向における両端間に亘って設けられ、前記第１の方向と直交する第２の方向に互いに平行に配置され、
前記破断予定線は、前記非接着面部のうち前記接着面部に沿った部分で前記第１の方向に延び、
前記つまみ片は、前記非接着面部の前記第１の方向における片側又は両側にそれぞれ設けられている
ことを特徴とする携帯機器。
【請求項３】
請求項１又は２に記載された携帯機器において、
前記第１接着材は、前記リペアシートの非接着面部のうち前記接着面部と分離される部分のみに設けられている
ことを特徴とする携帯機器。
【請求項４】
請求項１〜３のいずれか１項に記載された携帯機器において、
前記リペアシートのうち前記破断予定線の前記つまみ片側で該破断予定線の延長線上に位置する端部には、一端を当該リペアシートの外方に開放した切欠きが形成されている
ことを特徴とする携帯機器。
【請求項５】
請求項１〜４のいずれか１項に記載された携帯機器において、
前記つまみ片の側端は、前記リペアシートの非接着面部のうち前記破断予定線の延長上に位置する端部に繋がっている
ことを特徴とする携帯機器。
【発明の詳細な説明】
【技術分野】
【０００１】
本開示は、電池パックを内蔵した携帯機器に関する。
【背景技術】
【０００２】
近年、携帯電話機やタブレット端末などの携帯機器の電池パックとして、リチウムイオン電池を用いた電池パックに代えて、高容量、高電圧及び軽量であるなどの良好な特性を有するリチウムイオンポリマー電池を用いた電池パックを採用する動きが進んでいる。
【０００３】
リチウムイオン電池は、電解液をそのまま液状で使用していることから、パッケージングや整形が難しく、当該電池を覆う外装材としては厚みのある硬質な容器を採用する必要がある。これに対して、リチウムイオンポリマー電池は、電解液をゲル化して準固体状態で使用するため、液漏れし難く、パッケージングや整形が比較的容易である上に、外装材としてラミネート袋を採用することにより電池パックの小型化を図ることができる、といったメリットを有する。
【０００４】
このリチウムイオンポリマー電池を用いた電池パックは、上記メリットを享受できる反面、外装材が柔軟で剛性が低いため、携帯機器の筐体に係合爪などで固定することが困難であって、折り曲げたり強い衝撃を受けたりすると内部が短絡するおそれがあることから、携帯機器内の限られたスペースにおいて、筐体や回路基板に両面テープで直接貼り付けて固定されている。
【０００５】
特許文献１には、上記の如く両面テープで貼り付けた電池パックを筐体から取り外すための電池パック取外し構造が開示されている。この電池パック取外し構造は、電池パックを収納する電池ホルダと、電池ホルダの電池パック設置面と対向する開口部から電池パックを取り外すために設けられた電池取外しシートとを備える。
【０００６】
電池取外しシートの一端側は、電池パック設置面に設けられたスリットを通して電池パック設置面の裏面に引き回されて固定されている。また、電池取外しシートの他端側は、電池ホルダの開口部から延び出るプルタブ部を構成している。そして、電池パック取外し構造は、このプルタブ部を電池パック設置面に垂直な方向に引っ張ることで、電池パックを電池ホルダから容易に取り出せるようになっている。
【先行技術文献】
【特許文献】
【０００７】
【特許文献１】特開２０１３−１８２７６７号公報
【発明の概要】
【発明が解決しようとする課題】
【０００８】
特許文献１に開示された電池パック取外し構造では、リチウムポリマー電池を用いた電池パックが電池ホルダに直接接着されているため、電池パックの取出し作業においてプルタブ部を引っ張ったときに、電池パックに対し特にプルタブ部付近の部分にストレスがかかって電池パックが変形してしまい、電池パックを再利用できなくなることがある。
【０００９】
また、特許文献１に開示された電池パック取外し構造では、電池パック設置面に専用のスリットを設ける必要があるため、製品強度や製品厚さに影響が及ぶ。すなわち、製品の筐体に当該スリットを設けると製品強度が低下してしまうが、さりとて、製品強度の低下を回避すべく筐体とは別個に電池ホルダを設けるとなると、その分だけ部品点数が増える上に、筐体と電池ホルダとの二重構造を備えることになるため、製品厚さが増してしまう。
【００１０】
本発明は、斯かる点に鑑みてなされたものであり、その目的とするところは、製品強度の低下や部品点数の増加、製品厚さの増大を伴うことなく、電池パックを損傷させずに携帯機器から容易に取り外し可能にすることにある。
【課題を解決するための手段】
【００１１】
上記の目的を達成するために、この発明では、電池パックに対し損傷してもよいリペアシートを貼り付け、このリペアシートを筐体に接着すると共に、リペアシートにつまみ片を設け、このつまみ片を引っ張ることで過大なストレスをかけずに電池パックを取り出せるようにリペアシートの構成を工夫した。
【００１２】
具体的には、本発明は、電池パックが筐体内に収容された携帯機器を対象とし、以下の解決手段を講じたものである。
【００１３】
すなわち、本発明は、電池パックに、第１接着材でリペアシートが貼り付けられた構成を有する。このリペアシートは、第２接着材で筐体に貼り付けられ、その筐体への貼付け面部に、筐体に接着される接着面部と、筐体に接着されない非接着面部とを有する。そして、本発明は、リペアシートの非接着面部に、電池パックと筐体との間から延び出るつまみ片と、そのつまみ片を、当該非接着面部に対し筐体の被貼付け面から離間させる方向への力が作用するように引っ張ることで破断して、当該非接着面部の少なくとも一部を接着面部と分離する破断予定線とが設けられていることを特徴とする。破断予定線は、例えば、ミシン目などの切込み線やスリット、線条溝で形成される。
【００１４】
上記構成によると、電池パックにリペアシートを貼り付け、このリペアシートを筐体に貼り付けることで電池パックを筐体に固定すると共に、リペアシートのうち筐体への非接着面部が、当該非接着面部に設けられたつまみ片を所定の方向に引っ張ることで、リペアシートの筐体への接着面部と破断予定線の破断を以て分離されるようにしたから、リペアシートのうち接着面部から分離した非接着面部ともども電池パックを筐体から取り出すことができる。
【００１５】
その際、破断予定線の破断によってリペアシートが突っ張ることを抑制できるので、リペアシートのうち非接着面部を接着面部からスムーズに切り離すことができ、電池パックにかかるストレスを軽減することができる。これによって、電池パックに過大なストレスがかかることを回避でき、つまみ片を引っ張るだけで電池パックを携帯機器から容易に取り外すことができる。
【００１６】
また、上記構成によると、つまみ片がリペアシートに設けられているので、筐体に専用のスリットを設ける必要がなく、製品強度の低下を招かない。さらに、筐体と別個に電池ホルダを設ける必要もないことから、筐体と電池ホルダとの二重構造を備えずに済み、部品点数の増加や製品厚さの増大を伴わない。
【発明の効果】
【００１７】
したがって、本発明によれば、製品強度の低下や部品点数の増加、製品厚さの増大を伴うことなく、電池パックを損傷させずに携帯機器から容易に取り外すことができる。
【図面の簡単な説明】
【００１８】
【図１】図１は、本発明の実施形態１に係る携帯電話機の正面図である。
【図２】図２は、図１のII−II線における携帯電話機の断面図である。
【図３】図３は、図１のIII−III線における携帯電話機の断面図である。
【図４】図４は、本発明の実施形態１に係る携帯電話機の分解斜視図である。
【図５】図５は、本発明の実施形態１に係る携帯電話機の電池パック及びこれに貼り付けられるリペアシートを示す斜視図である。
【図６】図６（ａ），（ｂ）は、本発明の実施形態１に係る携帯電話機から電池パックを取り外す作業を示す斜視図である。
【図７】図７は、本発明の実施形態２に係る携帯電話機の電池パック及びこれに貼り付けられるリペアシートを示す斜視図である。
【図８】図８は、本発明の実施形態２に係る携帯電話機の筐体を構成する表側キャビネットから電池パックを取り出す作業を示す斜視図である。
【図９】図９は、本発明の実施形態３に係る携帯電話機の電池パック及びこれに貼り付けられるリペアシートを示す斜視図である。
【発明を実施するための形態】
【００１９】
以下、本発明に係る実施形態を図面に基づいて詳細に説明する。なお、以下の実施形態は、本質的に好ましい例示であって、本発明、その適用物、或いはその用途の範囲を制限することを意図するものではない。
【００２０】
なお、以下の各実施形態では、説明の便宜上、携帯電話機について、表示パネルの正面側を「前」、背面側を「後」と称し、上下方向における上側を「上」、下側を「下」と称し、表示パネルを正面側から見たときの左右方向における左側を「左」、右側を「右」と称する。
【００２１】
《発明の実施形態１》
図１は、この実施形態１に係る携帯電話機１を前側から見た正面図である。図２は、図１のII−II線における携帯電話機１の断面図である。図３は、図１のIII−III線における携帯電話機１の断面図である。また、図４は、この実施形態１に係る携帯電話機１の分解斜視図である。
【００２２】
携帯電話機１は、図１〜図４に示すストレートタイプのスマートフォンと呼ばれる携帯機器であり、詳しくは図示しないが、正面視で略長方形状の扁平な筐体３内に、スピーカやマイク、カメラユニット、カードコネクタ、これらの動作を制御する回路基板５，７、電池パック９などの複数の電子部品を収容した構造を有する。
【００２３】
筐体３は、図２及び図３に示すように、画像表示を行う表示パネル１１ａを備えた表示装置１１が前側に収容される表側キャビネット１３と、この表側キャビネット１３の後側に取り付けられた裏側キャビネット１５と、この裏側キャビネット１５の後側を覆うリヤカバー１７とで構成されている。表示パネル１１ａは、タッチパネル付きのものであって、携帯電話機１のユーザーインターフェイスを構成している。
【００２４】
表側キャビネット１３は、図示しないが、略長方形枠状の樹脂製フレームを有し、このフレームの内側開口を塞ぐように剛性部材としてステンレス鋼板などの金属板がインサート成形されてなる。この表側キャビネット１３の外周縁部を構成する樹脂製フレームには、後方へ壁状に突出した表側壁部１９が設けられている。
【００２５】
裏側キャビネット１５は、後面視で表側キャビネット１３に対応する外形を有する樹脂成形品である。この裏側キャビネット１５の外周縁部には、前方へ壁状に突出した裏側壁部２１が設けられている。この裏側壁部２１の前端は、表側キャビネット１３の表側壁部１９の後端と重ね合わせられている。そして、これら裏側壁部２１の前端と表側壁部１９の後端とは、両面テープや接着剤などの接着材（不図示）で貼り合わせられている。
【００２６】
また、表側キャビネット１３のうち表側壁部１９に沿う同キャビネット１３の四隅を含む部分には、図４に示すように、ビス２３をねじ込むための固定孔を有する取付ボス２５が後方に突出させて複数（図４に示す例では６つ）設けられている。他方、裏側キャビネット１５のうちこれら各取付ボス２５に対応する箇所には、ビス２３を挿通させる挿通孔２７が形成されている。そして、裏側キャビネット１５は、これら各挿通孔２７にビス２３を挿通させると共に、当該ビス２３を対応する取付ボス２５の固定孔にねじ込むことにより、表側キャビネット１３にビス留めされている。
【００２７】
リヤカバー１７は、後面視で表側キャビネット１３に対応する外形を有する浅い略長方形状の樹脂成形品である。このリヤカバー１７の外周縁部には、図示しないが前方又は当該リヤカバー１７の内方に突出した複数の係止爪が設けられている。リヤカバー１７は、これら係止爪を裏側キャビネット１５に設けられた係合孔（不図示）に係合させることで、裏側キャビネット１５に取り付けられている。
【００２８】
なお、裏側キャビネット１５は、接着材による接合だけで表側キャビネット１３に固定されていてもよいし、ビス留めだけで表側キャビネット１３に固定されていても構わない。また、リヤカバー１７は、上記のような係合爪による取付けに代えて、両面テープや接着剤などの接着材で裏側キャビネット１５に接合されていてもよく、裏側キャビネット１５でなく表側キャビネット１３に取り付けられていても構わない。
【００２９】
表側キャビネット１３の後側で裏側キャビネット１５との間のうち上端寄りの部分には、カメラユニットやカードコネクタ等の電子部品を実装した上側回路基板５が収容され、下端寄りの部分には、電源回路や制御回路などを構成する種々の回路部品を実装した下側回路基板７が収容されている。そして、表側キャビネット１３の後側でこれら上側回路基板５と下側回路基板７との間には、前側に凹む略矩形凹状の電池収容部２９が設けられている。この電池収容部２９には、扁平な略矩形板状の電池パック９が収容される。
【００３０】
電池収容部２９の底面２９ａ、つまり電池パック９が設置される電池パック設置面２９ａは、表側キャビネット１３の金属板の一部で構成されている。電池収容部２９は、表側キャビネット１３の樹脂製フレームに後方へ突出させて設けられた矩形枠状の仕切り壁部３１に囲まれて構成されている。図４に示す例では、この仕切り壁部３１のうち左右両側で上下方向に延びる部分は、表側壁部１９と分離して設けられた構成としているが、表側壁部１９と一体に設けられていてもよい。
【００３１】
裏側キャビネット１５のうちこの電池収容部２９に対応する部分には、当該電池収容部２９全体をリヤカバー１７側に露出させる略矩形状の開口３０が形成されている。図３及び図４に示す例では、当該開口３０は、リヤカバー１７で塞がれた構成を示しているが、裏側キャビネット１５に防水シートがその周縁部を開口３０周縁に接着等で留めることにより取り付けられていて、防水シートで塞がれていてもよい。
【００３２】
図５は、電池パック９及びこれに貼り付けられるリペアシート３３を示す斜視図である。電池パック９は、リチウムイオンポリマー電池を用いたものである。リチウムイオンポリマー電池は、電解液に高分子（ポリマー）を含ませてゲル化したポリマー電解質を用い、このゲル状のポリマー電解質と正極及び負極を含む電池素子を柔軟な外装材であるラミネート袋１０に封入してなる剛性の低い、いわゆるパウチタイプ或いはラミネート外装タイプと呼ばれるタイプの電池である。
【００３３】
この電池パック９は、図示しないが下側回路基板７に接続するためのＦＰＣを有し、このＦＰＣを下側回路基板７に接続することにより同基板７に給電可能な状態で電池収容部２９に収容されている。電池パック９には、図５に示すリペアシート３３が、第１接着材として取扱いの容易な第１両面テープ３５で貼り付けられている。そして、電池パック９は、このリペアシート３３を介して電池収容部２９の電池パック設置面２９ａに固定されている。
【００３４】
リペアシート３３は、ＰＥＴ（Polyethylene terephthalate）などの難燃性を有する汎用プラスチックからなる柔軟なシートであって、第２接着材として取扱いの容易な第２両面テープ３７で電池パック設置面２９ａに貼り付けられている。このリペアシート３３は、電池パック９の前面に対応して電池パック設置面２９ａへの貼付け面３３ａを構成する略矩形状の貼付け面部３８と、この貼付け面部３８の下側に設けられたつまみ片３９とで構成されている。
【００３５】
リペアシート３３の貼付け面部３８は、第２両面テープ３７で電池パック設置面２９ａに接着される接着面部３８ａと、第２両面テープ３７で電池パック設置面２９ａに接着されない非接着面部３８ｂとを有する。接着面部３８ａは、リペアシート３３の貼付け面部３８のうち左右両端側に、その貼付け面部３８の左右各辺に沿わせて第２両面テープ３７を貼り付けることで、第１の方向である上下方向における両端間に亘って一対に設けられている。
【００３６】
他方、非接着面部３８ｂは、リペアシート３３の貼付け面部３８のうち一対の接着面部３８ａの間に、上下方向における両端間に亘って設けられている。これら接着面部３８ａと非接着面部３８ｂとは、第２の方向である左右方向において互いに平行に配置されている。非接着面部３８ｂの左右方向における幅は各接着面部３８ａの左右方向における幅よりも広く設定されていて、非接着面部３８ｂの面積は両接着面部３８ａの合計面積よりも大きく設定されている。
【００３７】
つまみ片３９は、リペアシート３３の非接着面部３８ｂにおける下端縁の中央部分に設けられた略矩形状の突出片であり、電池パック９の後面側に折り曲げられて、電池収容部２９内に収められている。このつまみ片３９は、電池パック９が電池収容部２９に収容された状態で、電池パック９と電池収容部２９を構成する仕切り壁部３１との間から電池パック９の後側に延び出ている（図３参照）。
【００３８】
このように、つまみ片３９がリペアシート３３に一体に設けられている構成では、電池パック９取外し用のシート（上記特許文献１の電池取外しシート）をリペアシート３３と別個に用意してこれを通す専用のスリットを表側キャビネット１３の電池パック設置面２９aに設ける必要がなく、製品強度の低下を招かない。また、表側キャビネット１３と別部材で電池ホルダを設ける必要もないことから、表側キャビネット１３と電池ホルダとの二重構造を備えずに済み、部品点数の増加や製品厚さの増大を伴わない。
【００３９】
リペアシート３３の非接着面部３８ｂのうち各接着面部３８ａに沿った部分には、上下方向に直線状に延びる破断予定線としてのミシン目４１が当該非接着面部３８ｂの上下両端間に亘って設けられている。これら一対のミシン目４１は、リペアシート３３において非接着面部３８ｂの一部を切り取るための切込み線であって、つまみ片３９を、非接着面部３８ｂに対し電池パック設置面２９ａから離間させる方向への力が作用するように、例えば電池パック設置面２９ａから離間させる方向へ引っ張ることで破断する。そして、リペアシート３３の非接着面部３８ｂのうち一対のミシン目４１間の部分は、これら各ミシン目４１の破断を以て、同シート３３の両接着面部３８ａと分離されるようになっている。
【００４０】
また、リペアシート３３の非接着面部３８ｂうち各ミシン目４１の延長線上に位置する両端部には、一辺をリペアシート３３の外方に開放した細長い略矩形状の切欠き４３がそれぞれ設けられている。これら各切欠き４３のうちリペアシート３３の左右方向における中央側に位置する内側端縁は、上下方向において対応するミシン目４１の延長線上に一致している。そのことで、つまみ片３９を引っ張ったときの非接着面部３８ｂを電池パック設置面２９ａから離間させる方向への力が特にミシン目４１付近に作用することになるので、リペアシート３３が、つまみ片３９を引っ張ることで切欠き４３を起点としてミシン目４１沿いに切れやすくなっている。
【００４１】
なお、切欠き４３は、リペアシート３３の非接着面部３８ｂうち上下両端部に設けられているとしたが、当該非接着面部３８ｂのうちつまみ片３９が設けられた側である下端部のみに設けられていてもよい。
【００４２】
第１両面テープ３５は、このリペアシート３３の非接着面部３８ｂのうち接着面部３８ａと分離される部分、つまり一対のミシン目４１間の部分のみに設けられている。これによって、リペアシート３３の非接着面部３８ｂのうち一対のミシン目４１間の部分を接着面部３８ａから切り離した際に、電池パック９をリペアシート３３の接着面部３８ａ、ひいてはこれが貼り付けられた電池パック設置面２９ａから速やかに別離させられるようになっている。
【００４３】
第１両面テープ３５のうち電池パック９に接着される第１面３５ａは、電池パック９を簡単に位置ずれしないように保持でき、且つ当該電池パック９からリペアシート３３を剥がすときに、電池パック９の外装材であるラミネート袋１０を大きく変形させずに容易に剥離可能な程度の微粘着性を有する。また、第１両面テープ３５のうちリペアシート３３に接着される第２面も、上記第１面３５ａと同程度の粘着性を有している。
【００４４】
電池パック９のラミネート袋１０の材料とリペアシート３３の材料とは、この第１両面テープ３５との関係について、当該リペアシート３３と第１両面テープ３５との接着強度が当該ラミネート袋１０と第１両面テープ３５との接着強度よりも高くなるように選定されていてもよい。
【００４５】
こうして、電池パック９は、リペアシート３３を介して電池収容部２９の電池パック設置面２９ａに貼り付けられると共に、リペアシート３３で保持されている。これによって、携帯電話機１を落下等させた際の衝撃によって電池パック９にかかるストレスを軽減することができる。
【００４６】
次に、上記構成の携帯電話機１から電池パック９を取り出す作業について、図６（ａ），（ｂ）を参照しながら説明する。図６（ａ）は、リヤカバー１７を取り外して電池パック９を露出させた状態を示す斜視図である。図６（ｂ）は、表側キャビネット１３から電池パック９を取り出した様子を示す斜視図である。
【００４７】
携帯電話機１から電池パック９を取り外すには、まず、リヤカバー１７を裏側キャビネット１５から取り外すことにより、図６（ａ）に示すように、表側キャビネット１３において電池パック９が収容された電池収容部２９を裏側キャビネット１５の開口３０から後方に露出させた状態とする。
【００４８】
次いで、図６（ｂ）に示すように、電池パック９の後側にあるリペアシート３３のつまみ片３９を摘まみ、そのつまみ片３９を後方、つまり電池パック設置面２９ａから離間する方向（例えば同面２９ａに垂直な方向）に引っ張ることで、リペアシート３３の非接着面部３８ｂのうち一対のミシン目４１間の部分をミシン目４１に沿って切り取って両接着面部３８ａと分離させると共に、切り取ったリペアシート３３の非接着面部３８ｂごと電池パック９を電池収容部２９から取り出す。
【００４９】
その際、ミシン目４１の破断によってリペアシート３３が突っ張るのを抑制できるので、リペアシート３３のうち非接着面部３８ｂを接着面部３８ａからミシン目４１に沿ってスムーズに切り離すことができる。これによって、電池パック９を電池収容部２９から取り出す際に、電池パック９にかかるストレスを軽減することができる。
【００５０】
しかる後、電池パック９からリペアシート３３の非接着面部３８ｂを引き剥がす。このリペアシート３３の非接着面部３８ｂを電池パック９に接着している第１両面テープ３５は、電池パック９に対する粘着力が比較的弱いので、電池パック９に過大なストレスをかけることなく簡単に剥がすことができる。こうして、携帯電話機１から電池パック９を簡単に取り外すことができる。
【００５１】
この実施形態１によると、製品強度の低下や部品点数の増加、製品厚さの増大を伴うことなく、電池パック９を損傷させずに容易に取り外すことができる。その結果、修理後に同じ電池パック９を再利用することができるので、修理費用が抑えられると共に、資源保護の点でもメリットが大きい。また、リペアシート３３を微粘着性を有する第１両面テープ３５で電池パック９に貼り付けているので、電池パック９を再利用する際のリペアシート３３の交換も容易である。
【００５２】
《発明の実施形態２》
この実施形態２に係る携帯電話機１は、リペアシート３３の構成が上記実施形態１と異なる。なお、以降の各実施形態では、リペアシート３３の構成が上記実施形態１と異なる他は携帯電話機１について上記実施形態１と同様に構成されているので、構成の異なるリペアシート３３についてのみ説明し、同一の構成箇所は、図１〜図６に基づく上記実施形態１の説明に譲ることにして、その詳細な説明を省略する。
【００５３】
図７は、この実施形態２に係る携帯電話機１に用いられる電池パック９とこれに貼り付けられるリペアシート３３を示す斜視図である。本実施形態のリペアシート３３には、図７に示すように、つまみ片３９が２つ設けられている。具体的には、つまみ片３９は、リペアシート３３の非接着面部３８ｂの上下方向における両側に一対に設けられている。これら各つまみ片３９は、上記実施形態１のつまみ片３９と同様に、電池パック９の後面側に折り曲げられて、電池収容部２９内に収められる。
【００５４】
このリペアシート３３が貼り付けられた電池パック９を携帯電話機１から取り外す作業について、図８を参照しながら説明する。図８は、表側キャビネット１３から電池パック９を取り出す様子を示す斜視図である。携帯電話機１から電池パック９を取り外すには、まず、上記実施形態１と同様にして、表側キャビネット１３において電池パック９が収容された電池収容部２９を後方に露出させた状態とする。
【００５５】
そして、図８に示すように、リペアシート３３の両つまみ片３９を共に後方へ引っ張ることで、同シート３３の非接着面部３８ｂのうち一対のミシン目４１間の部分を切り取って接着面部３８ａと分離させると共に、切り取ったリペアシート３３の非接着面部３８ｂで電池パック９を支持しつつその非接着面部３８ｂごと電池パック９を電池収容部２９から取り出す。しかる後、電池パック９からリペアシート３３の非接着面部３８ｂを剥がすことで、携帯電話機１から電池パック９を取り外すことができる。
【００５６】
この実施形態２によると、電池収容部２９から電池パック９を取り出す際に電池パック９にかかるストレスを軽減することができると共に、電池パック９をよりいっそう取り出し易くすることができる。
【００５７】
《発明の実施形態３》
図９は、この実施形態３に係る携帯電話機１に用いられる電池パック９及びこれに貼り付けられるリペアシート３３を示す斜視図である。上記実施形態１では、つまみ片３９がリペアシート３３の非接着面部３８ｂにおける下端縁の中央部分に設けられているとしたが、本実施形態のリペアシート３３に設けられたつまみ片３９は、リペアシート３３の非接着面部３８ｂのうち一対のミシン目４１間の下端縁全体から延びるように設けられている。
【００５８】
具体的には、つまみ片３９は、リペアシート３３の非接着面部３８ｂから後方に折り曲げられて電池パック９の下側に位置する拡幅部３９ａと、この拡幅部３９ａから上方に折り曲げられて電池パック９の後側に位置するつまみ本体部３９ｂとを有する。つまみ本体部３９ｂは、左右の幅が一定の略矩形状に形成されている。他方、つまみ片３９の拡幅部３９ａは、左右方向における幅がつまみ本体部３９ｂからリペアシート３３の非接着面部３８ｂに向かって拡大する形状に形成されている。
【００５９】
そして、つまみ片３９の拡幅部３９ａは、非接着面部３８ｂ側における基端の左右方向における幅を一対のミシン目４１間の幅に合わせて形成されている。そして、この拡幅部の左右両側の側端は、ミシン目４１に対して傾斜した傾斜端縁を構成し、リペアシート３３の非接着面部３８ｂのうちミシン目４１の延長線上に位置する端部、つまり切欠き４３の内側端縁に繋がっている。これによって、つまみ片３９を電池パック設置面２９ａから離間する方向に引っ張ったときに、切欠き４３を通してミシン目４１付近に力が作用しやすくなっている。
【００６０】
この実施形態３によると、つまみ片３９を引っ張ることでミシン目４１を破断しやすくし、リペアシート３３の非接着面部３８ｂのうち一対のミシン目４１間の部分をよりいっそう簡単に切取り可能にすることができる。
【００６１】
なお、上記実施形態１〜３では、リペアシート３３が微粘着性を有する第１両面テープ３５で電池パック９に貼り付けられている形態を例に挙げて説明したが、これに限らず、リペアシート３３は、第１両面テープ３５に代えて、例えばＵＶなどの特定波長の光を照射したり低温にしたりする所定の処理を施すことにより接着力が低下する両面テープや接着剤などで電池パック９に貼り付けられていてもよい。
【００６２】
このような構成によっても、電池パック９に貼り付いて残存したリペアシート３３の非接着面部３８ｂを、上記所定の処理を施した後に引き剥がすことで、電池パック９に過大なストレスをかけることなく剥がすことができ、リペアシート３３の引き剥がし作業で電池パック９が破損するのを防止できる。
【００６３】
上記実施形態１〜３では、電池パック９がリチウムイオンポリマー電池を用いたものであるとしたが、これに限らず、電池パック９としては、これ以外のパウチタイプ（ラミネート外装タイプ）の電池パックを採用することもできる。例えば、電池パック９は、ゲル状の電解質に代えて電解液を含む電池素子をラミネート袋１０に封入してなるリチウムイオン電池を用いたものであってもよい。
【００６４】
また、上記実施形態１〜３では、リペアシート３３が第１両面テープ３５で電池パック９に貼り付けられているとしたが、これに限らず、第１両面テープ３５に代えて微粘着性を有する接着剤で電池パック９に貼り付けられていてもよい。
【００６５】
また、上記実施形態１〜３では、電池パック９に貼り付けられたリペアシート３３が第２両面テープ３７で電池収容部２９の電池パック設置面２９ａに接着されているとしたが、これに限らず、第２両面テープ３７に代えて接着剤で電池パック設置面２９ａに接着されていてもよい。
【００６６】
また、上記実施形態１〜３では、リペアシート３３の非接着面部３８ｂのうち接着面部３８ａと分離される部分のみに第１両面テープ３５が設けられているとしたが、これに限らず、第１両面テープ３５は、リペアシート３３の非接着面部３８ｂに加えて接着面部３８ａに設けられていても構わない。
【００６７】
また、上記実施形態１〜３では、リペアシート３３の非接着面部３８ｂに破断予定線としてミシン目４１が設けられているとしたが、これに限らず、ミシン目４１に代えて線条溝又はスリットが破断予定線として設けられていても構わない。
【００６８】
また、上記実施形態３では、リペアシート３３のつまみ片３９が拡幅部３９ａを有しているとしたが、これに限らず、当該つまみ片３９は、左右方向における幅を一対のミシン目４１間の幅に合わせて略矩形状等に形成されていてもよい。
【００６９】
このような構成によっても、つまみ片３９を電池パック設置面２９ａから離間する方向に引っ張ったときの力がミシン目４１付近に作用しやすくなり、つまみ片３９を引っ張ることでミシン目４１を容易に破断させることが可能になる。
【００７０】
また、上記実施形態１〜３では、本発明に係る携帯機器について、携帯電話機１を例に挙げて説明したが、本発明はこれに限らず、ＰＨＳ（Personal Handy-phone System）、ＰＤＡ（Personal Digital Assistant）、パソコン、モバイルツール、電子辞書、タブレット端末、ゲーム機などの他の携帯機器にも適用することが可能である。
【符号の説明】
【００７１】
１        携帯電話機（携帯機器）
３        筐体
５        上側回路基板
７        下側回路基板
９        電池パック
１０      ラミネート袋
１１      表示装置
１１ａ    表示パネル
１３      表側キャビネット
１５      裏側キャビネット
１７      リヤカバー
１９      表側壁部
２１      裏側壁部
２３      ビス
２５      取付ボス
２７      挿通孔
２９      電池収容部
２９ａ    電池パック設置面
３１      仕切り壁部
３３      リペアシート
３５      第１両面テープ（第１接着材）
３５ａ    第１面
３７      第２両面テープ（第２接着材）
３８      貼付け面部
３８ａ    接着面部
３８ｂ    非接着面部
３９      つまみ片
４１      ミシン目（破断予定線）
４３      切欠き
【図１】
2015211022.tif 000003
【図２】
2015211022.tif 000004
【図３】
2015211022.tif 000005
【図４】
2015211022.tif 000006
【図５】
2015211022.tif 000007
【図６】
2015211022.tif 000008
【図７】
2015211022.tif 000009
【図８】
2015211022.tif 000010
【図９】
2015211022.tif 000011